【事件の表示】
　特願２０１０−　９０５６７「遊技機」拒絶査定不服審判事件〔平成２３年１１月　４日出願公開、特開２０１１−２１７９５５〕について、次のとおり審決する。
【結　論】
　本件審判の請求は、成り立たない。
【理　由】
第１　手続の経緯
　本願は，平成２２年４月９日の出願であって，平成２５年１２月４日付けで手続補正がなされたが，平成２６年４月１０日付け（発送日：平成２６年４月１６日）で最後の拒絶理由通知がなされ，これに対し平成２６年６月１６日付けで手続補正がなされたが，平成２６年１１月２７日付け（発送日：平成２６年１２月１７日）で補正の却下の決定がなされるとともに拒絶査定がなされ，これに対して，平成２７年３月１６日付けで拒絶査定不服審判の請求がなされるとともに手続補正（以下，「本件補正」という。）がなされたものである。
第２　本件補正についての補正却下の決定
[補正却下の決定の結論］
　本件補正を却下する。
［理由］
１．本件補正の概要
　平成２６年６月１６日付けの手続補正は，既に補正の却下の決定がなされている。そして，本件補正は特許請求の範囲の請求項１から２の記載を含む補正であり，平成２５年１２月４日付けの手続補正と本件補正の特許請求の範囲の請求項１の記載はそれぞれ，以下のとおりである（下線部は，補正箇所を示す。）。
（補正前：平成２５年１２月４日付け手続補正）
「【請求項１】
　遊技球が流下する遊技領域を備え，
　前記遊技領域の内外において遊技球と接触し得る部位の少なくとも一部が，金属と同等または実質的に同等の光沢を呈し得る光沢層と，該光沢層を外部から視認可能に覆う透過層とが積層された構造を有し，
　前記光沢層が，屈折率の異なる複数種類の樹脂を積層して得られた層となっていることを特徴とする遊技機。」
（補正後：本件補正である平成２７年３月１６日付け手続補正）
「【請求項１】
　遊技球が流下する遊技領域を備え，
　前記遊技領域の内外において遊技球と接触し得る部位の少なくとも一部が，金属と同等または実質的に同等の光沢を呈し得る光沢層と，該光沢層を外部から視認可能に覆う透過層とが積層された構造を有し，
　前記光沢層が，屈折率の異なる複数種類の樹脂を積層して得られた層となって
おり，
　
前記光沢層と透過層との積層構造が，その上を遊技球が転動する部位に設けられて
２．補正の適否
　補正後の請求項１は，補正前の請求項１に記載された発明特定事項である「前記遊技領域の内外において遊技球と接触し得る部位の少なくとも一部」として「その上を遊技球が転動する部位」が含まれていることを特定することにより，請求項１の記載を限定するものである。
　そして，補正後の請求項１に記載された発明は，補正前の請求項１に記載された発明と，産業上の利用分野及び解決しようとする課題が同一であるので，本件補正は，特許法第１７条の２第５項第２号に規定する「特許請求の範囲の減縮」を目的とする補正に該当する。
　そして，本件補正は新規事項を追加するものではない。
３．独立特許要件
　そこで，本件補正後の請求項１に記載された発明（以下，「本願補正発明」という。） が特許出願の際独立して特許を受けることができるものであるか否か，すなわち，特許法第１７条の２第６項において準用する同法第１２６条第７項の規定に適合するか否か，について以下に検討する。
（１）刊行物に記載された事項
（１−１）刊行物１
　本願の出願日前に頒布された特開２００７−１０５２６３号公報（以下，「刊行物１」という。）には，図面とともに次の事項が記載されている（下線は当審で付した。）。
（ア）「【００２４】
Ａ−２．遊技盤の構成  ：
　図２は，遊技盤１０の盤面構成を示す説明図である。前述したように，遊技盤１０は中枠３の前面側に着脱可能に取り付けられている。図２に示すように，
遊技盤１０の中央には，
遊技領域１１が形成され
【００２５】
　
遊技領域１１の略中央には中央装置２６が設けられ
【００２６】
　中央装置２６のほぼ中央には，演出表示装置２７が設けられている。演出表示装置２７は，キャラクタ図柄や背景図柄などの種々の演出用図柄を変動停止表示することが可能となっている。また，
中央装置２６の下方には，
ステージ３２が設けられている。
遊技盤１０を流下する遊技球
ステージ３２に導くこと
（イ）「【００５５】
Ｃ−１．ステージの構成  ：
　図９は，ステージ３２の形状を示す斜視図である。図９に示すように，
ステージ３２
上面には
遊動面３１０が設けられている
・・・
【００５７】
Ｃ−２．遊動面の断面構造  ：
　図１０は，第１実施例における遊動面３１０の断面構造と，その構造による作用とを説明するための説明図である。図１０（ａ）は，
遊技球が遊動する遊動面３１０
（ウ）「【００６６】
　
遊動面３１０
は，透明なプラスチック部材６２０の
裏面側全体に金属光沢を有するメッキ層６１０を密着させた構造
遊技者がステージ３２の遊動面３１０を表側から見ると，
裏面側のメッキ層６１０を認識する
（エ）上記（ア）の記載から，遊技盤１０の中央には遊技領域１１が形成され，遊技盤１０を流下する遊技球を，ステージ３２に導くことから，
遊技球が流下する遊技領域１１が形成され
（オ）上記（ア）の記載から，遊技領域１１の略中央には中央装置２６が設けられ，中央装置２６の下方には，ステージ３２が設けられていることと，上記（イ）の記載から，ステージ３２上面には遊技球が遊動する遊動面３１０が設けられていることが示されている。したがって，
遊技領域１１内において遊技球が遊動する遊動面３１０が設けられたステージ３２
（カ）上記（ウ）の記載から，遊動面３１０は，透明なプラスチック部材６２０の裏面側全体に金属光沢を有するメッキ層６１０を密着させた構造で，遊技者がステージ３２の遊動面３１０を表側から見ると，裏面側のメッキ層６１０を認識することから，
金属光沢を有するメッキ層６１０と，裏面側の該メッキ層６１０を表側から見て認識できる透明なプラスチック部材６２０とを密着させた構造を有する
　したがって，上記（ア）から（ウ）の記載事項及び上記（エ）から（カ）の認定事項を総合すると，刊行物１には次の発明（以下，「引用発明１」という。）が記載されている。
「遊技球が流下する遊技領域１１が形成され，
　前記遊技領域１１内において遊技球が遊動する遊動面３１０が設けられたステージ３２が，金属光沢を有するメッキ層６１０と，裏面側の該メッキ層６１０を表側から見て認識できる透明なプラスチック部材６２０とが密着させた構造を有する弾球遊技機。」
（１−２）刊行物２
　原査定の拒絶の理由に引用された本願の出願前に頒布された特開２００７−１９６６５９号公報（以下，「刊行物２」という。）には，図面とともに次の事項が記載されている（下線は当審で付した。）。
（ア）「【００３９】
　図１の熱可塑性樹脂筐体Ｂ１は，図３４の筐体Ｂにおいては，筐体Ｂが樹脂材料で成形されただけであるのに対して，図１の熱可塑性樹脂筐体Ｂ１では，一枚の偏光特性を有するフィルム２が，皺が発生することなく，筐体の全体にわたって樹脂板１の外表面を覆うように，被着されている。このフィルム２が樹脂板１の全表面に被着されていることによって，樹脂基板１自体への装飾に加えて，例えば，玉虫色の光沢効果の特殊な装飾を施すことができ，筐体をどの方向から見ても滑らかに変化する玉虫色の光沢効果が得られる。
【００４０】
　ここで，本発明の熱可塑性樹脂筐体に使用される
偏光特性を有するフィルム（以降，偏光フィルムと称する）について，
偏光フィルム２が，代表的に，薄いフィルムＦ１乃至Ｆ３からなる偏光フィルム２が示されている。
フィルムＦ１乃至Ｆ３
が貼り合わされて積層されると，偏光フィルムが形成される。
【００４１】
　この積層にあたっては，３枚のフィルムに限られず，これ以上の複数枚が積層されてもよい。また，ここでは，この積層されるフィルムは，二軸延伸ポリエステルフィルムが積層された場合を例にしたが，積層される各フィルムの屈折率が異なっていれば，偏光フィルムを形成できるので，例えば，ポリエステルフィルムとナイロンフィルムのように，
異種材料フィルムの組み合わせ
【００４２】
　一般に，
異なる屈折率の
フィルムを成層した重層薄膜においては，
金属光沢が得られる理想型重層薄膜干渉現象
偏向フィルムは，これらの薄膜干渉現象を利用
（イ）「【０１０３】
　これまでに説明してきた熱可塑性樹脂筐体の形態例では，熱可塑性樹脂の表面上に，偏光フィルムが被着されていた。この形態例では，偏光フィルムによる装飾効果が表出されるものであり，有色樹脂，塗装，メッキ，金属などの蒸着，などでは，表現できない玉虫色，パールピンクからパールブルーへの変色などの装飾を施すことができるが，さらに，これらの装飾に深みを与え，質感を向上することが期待される場合がある。この場合には，
偏光フィルムの面上に，クリアなコート層を施す。また，このコート層を施すことにより，
耐候性の向上
【０１０４】
　図２０に，偏光フィルムの面上にクリアなコート層を施した熱可塑性樹脂筐体の第５形態例を示した。図２０（ａ）は，クリアコート層が施される熱可塑性樹脂筐体の構成が示されている。この筐体は，成形された熱可塑性樹脂１の外面上に偏光フィルム２が被着されている。
【０１０５】
　図２０（ｂ）には，第５形態例による熱可塑性樹脂筐体Ｂ５の一例が示されている。ここでは，
熱可塑性樹脂１に被着された偏光フィルム２の全面に，クリアコート層７が施され
クリアコート層７は，一定の透過率を有し
（ウ）「【０１３５】
　図３０（ａ）及び（ｂ）には，第１乃至第５形態例の製造工程による熱可塑性樹脂筐体を利用した調度品又は備付け機器への適用例を説明する図である。図３０（ａ）には，樹脂製インテリアとして，ドレッサー台を例にした場合が，そして図３０（ｂ）には，アミューズメント関連機器として，
パチンコ台
装飾が必要な部分に，本発明による偏光フィルムによる装飾を適用する
（２）対比
　本願補正発明と引用発明１とを対比する。
（ａ）引用発明１の「遊技球が流下する遊技領域１１」は，本願補正発明の「遊技球が流下する遊技領域」に相当する。
（ｂ）引用発明１のステージ３２の遊動面３１０は，遊技球が遊動するから，引用発明１のステージ３２は，遊技球と接触し得る部位であるといえる。
　このことから，引用発明１の「前記遊技領域１１内において遊技球が遊動する遊動面３１０が設けられたステージ３２」は，本願補正発明の「前記遊技領域の内」「において遊技球と接触し得る部位の少なくとも一部」に含まれる。
（ｃ）引用発明１の「金属光沢を有するメッキ層６１０」及び「透明なプラスチック部材６２０」は，本願補正発明の「光沢層」及び「視認可能に覆う透過層」に，それぞれ相当する。
　また，引用発明１の「裏面側の当該メッキ層６１０を表側から見て認識できる」は，本願補正発明の「該光沢層を外部から視認可能」に相当する。
　以上のことから，引用発明１の「金属光沢を有するメッキ層６１０と，裏面側の当該メッキ層６１０を表側から見て認識できる透明なプラスチック部材６２０とが密着させた構造を有する」は，本願補正発明の「金属と同等または実質的に同等の光沢を呈し得る光沢層と，該光沢層を外部から視認可能に覆う透過層とが積層された構造を有し」に相当する。
（ｄ）引用発明１の「遊技球が遊動する遊動面３１０が設けられたステージ３２」が「メッキ層６１０」と「透明なプラスチック部材６２０とが密着させた構造を有すること」は，本願補正発明の「前記光沢層と透過層との積層構造が，その上を遊技球が転動する部位に設けられていること」に相当する。
　上記（ａ）から（ｄ）により，本願補正発明と引用発明１とは，
［一致点］
「遊技球が流下する遊技領域を備え，
　前記遊技領域の内において遊技球と接触し得る部位の少なくとも一部が，金属と同等または実質的に同等の光沢を呈し得る光沢層と，該光沢層を外部から視認可能に覆う透過層とが積層された構造を有し，
　前記光沢層と透過層との積層構造が，その上を遊技球が転動する部位に設けられていることを特徴とする遊技機。」
　である点で一致し，以下の点で相違する。
［相違点１］
　「遊技球と接触し得る部位の少なくとも一部」について，本願補正発明では，「前記遊技領域の内外」であるのに対して，引用発明１では，「前記遊技領域１１の内」である点。
［相違点２］
　「金属と同等または実質的に同等の光沢を呈し得る光沢層」について，本願補正発明では，「屈折率の異なる複数種類の樹脂を積層して得られた層」となっているのに対して，引用発明１では，「金属光沢を有するメッキ層６１０」である点。
（３）判断
　上記相違点について検討する。
ア　相違点１について
　刊行物２において，上記（１）（１−２）（イ）には，偏光フィルム２の面上に，クリアコート層７を施した装飾について，上記（１）（１−２）（ウ）には，パチンコ台の装飾が必要な部分に偏光フィルム２を適用できることが記載されている。したがって，刊行物２には，偏光フィルム２の面上にクリアコート層７を施す装飾を，パチンコ台の装飾が必要な部分に適用できることが記載され，必要な部分は遊技領域の外も含むことは技術常識である。
　そして，引用発明１も刊行物２に記載されたものも共に，遊技機の一部に光沢層と透過層とが積層された構造を適用するものであるから，引用発明１において，刊行物２に記載された技術事項に基づき，光沢層と透過層とが積層された構造を，遊技領域の内だけでなく遊技領域の外にも適用すること，すなわち上記相違点１に係る本願補正発明の構成にすることは，当業者が容易に想到し得たことである。
イ　相違点２について
　刊行物２において，上記（１）（１−２）（ア）には，屈折率の異なる異種材料フィルムを積層した偏光フィルム２は金属光沢が得られることが記載されており，上記（１）（１−２）（イ）には，熱可塑性樹脂１に被着された偏光フィルム２の全面に一定の透過率を有するクリアコート層７が施されることが記載されており，上記（１）（１−２）（ウ）には，パチンコ台の装飾が必要な部分に偏光フィルム２を適用することが記載されている。したがって，刊行物２には，パチンコ台の装飾が必要な部分の熱可塑性樹脂１に，屈折率の異なる異種材料フィルムを積層した金属光沢が得られる偏光フィルム２を被着させ，偏光フィルム２の全面に一定の透過率を有するクリアコート層７を施すことが記載されているといえる。
　そして，引用発明１も刊行物２に記載されたものも共に，遊技機の一部に光沢層と光沢層を外部から視認可能に覆う透過層とが積層された構造を有するものであるから，引用発明１において，刊行物２に記載された技術事項を適用し，光沢層を屈折率の異なる複数種類の樹脂を積層して得られた層にすること，すなわち上記相違点２に係る本願補正発明の構成にすることは，当業者が容易に想到し得たことである。
ウ　本願補正発明の奏する作用効果について
　そして，本願補正発明の作用効果は，引例発明１及び刊行物２に記載された事項からみて，当業者の予測し得ない格別なものではない。
エ　審判請求人の主張について
　審判請求書において，請求人は，原査定の拒絶の理由に引用された引用文献には，「本発明におけるような，遊技球の転動による表面の剥離等の変形といった問題はなんら考慮されておらず，従いまして，上述の風車，役物，電飾装置等の例は，単に上記目的の対象となる装飾性部品として挙げられたものに過ぎないものと考えられますので，これらの記載からは，本発明に規定の『その上を遊技球が転動する部位』という概念は示唆されない」旨，主張している。
　この主張について検討すると，上記（１）（１−１）に記載した引用発明１には，「前記遊技領域１１内において遊技球が遊動する遊動面３１０が設けられたステージ３２が，金属光沢を有するメッキ層６１０と，裏面側の該メッキ層６１０を表側から見て認識できる透明なプラスチック部材６２０とが密着させた構造を有すること」が記載されている。このことから，引用発明１には，遊技球の転動による表面の剥離等の変形といった問題を考慮して，遊技球が遊動する遊動面３１０が設けられたステージ３２にメッキ層６１０を表側から遊技者が認識できるような透明なプラスチック部材６２０とが密着させた構造とする点が記載されているから，引用発明１には，請求人の主張する概念は記載されている。
　よって，請求人の主張は採用できない。
オ　まとめ
　したがって，本願補正発明は引用発明１及び刊行物２に記載された事項に基づいて，当業者が容易に発明できたものであり，特許法第２９条第２項の規定に基づいて特許出願の際独立して特許を受けることができない。
４．むすび
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明
　補正発明は，上記のとおり却下されたので，本願の請求項１に係る発明（以下，「本願発明」という。）は，平成２５年１２月４日付けの手続補正書により補正された特許請求の範囲に記載された事項により特定され，以下のとおりである。
「遊技球が流下する遊技領域を備え，
　前記遊技領域の内外において遊技球と接触し得る部位の少なくとも一部が，金属と同等または実質的に同等の光沢を呈し得る光沢層と，該光沢層を外部から視認可能に覆う透過層とが積層された構造を有し，
　前記光沢層が，屈折率の異なる複数種類の樹脂を積層して得られた層となっていることを特徴とする遊技機。」
１．刊行物
（１−１）刊行物３
　原査定の拒絶の理由に引用された本願の出願前に頒布された刊行物である特開２００２−３６０８０９号公報（以下，「刊行物３」という。）には，図面とともに次の事項が記載されている（下線は当審で付した。）。
（ア）「【００１０】
表フィルムは，
着色層を見せるために透光性（透明または半透明）とする
【００１１】また請求項３記載のように，裏フィルムまたは成形体を遮光性にするのは，外光によって（反射で）着色層の装飾効果を得るのに適している。この場合，裏フィルムまたは成形体を着色層に対する地の色として利用できる。或いは裏フィルムまたは成形体の遮光性に頼らずに，
着色層を印刷による模様などの層と金属蒸着層との複層構造
（イ）「【００２１】
【実施例】図１に示すのは，
遊技機の一種であるパチンコ機１
パチンコ機１は，
プラスチック製の中枠４を備え
・・・
【００２４】図２に示すように，
遊技盤５には
誘導レール１９ａ，１９ｂが取り付けられており，これらに囲まれる部分が遊技領域２１
遊技領域２１の中央部には，特別図柄表示装置１８が設置され
【００２５】
特別図柄表示装置１８の下方には始動入賞装置２２が配置され
【００２６】この
始動入賞装置２２の下方には，ゲート２６が配置され
ゲート２６を遊技球が通過
・・・
【００２９】
遊技領域２１には，
普通入賞口４０，４０
普通入賞口４２，４２
が設けられ
【００３０】このパチンコ機１には，本発明の遊技機部品に該当する部品が多数使用されている。例えば図１に示されるトップランプＬＮＰのレンズ部分や操作ダイヤル９の握り部分９ａ，図２に示される始動入賞装置２２の前飾り２２ａ，
普通入賞口４０，４２
（ウ）「【００３１】これら遊技機部品に該当する部品は，それぞれに形状に違いがあり，また材質もすべてが同じというわけではないが，製造工程はほぼ同じであるのでまとめて
遊技機部品Ｐ
層構造は
蒸着層５５が設けられているもの（図３（ｂ））
【００３２】図３（ｂ）の
層構造は普通入賞口４０，４２
に使用される。
蒸着層５５による金属光沢を採用
金属蒸着層５５を設ける場合には，
裏フィルム５６に金属を蒸着しておいて表フィルム５３と裏フィルム５６とを貼り合わせる
表フィルム５３には透明なアクリル樹脂
（エ）上記（イ）には，遊技領域２１の中央部の特別図柄表示装置１８の下方に配置されている始動入賞装置２２のさらに下方にゲート２６が配置され，ゲート２６を遊技球が通過することが記載されていることから，
遊技球が通過する遊技領域２１を備え
（オ）上記（イ）には遊技領域２１には普通入賞口４０，４２が設けられていることが記載されていることから，普通入賞口４０，４２は，
遊技領域２１の内の遊技球と接触し得る普通入賞口４０，４２
（カ）上記（ア）には，表フィルム５３は，着色層を見せるために透光性（透明または半透明）とし，着色層は蒸着層５５を含むこと，上記（ウ）には，金属光沢を有する蒸着層５５が設けられた層構造が普通入賞口４０，４２や握り部分９ａに使用され，蒸着層５５を設ける場合には，透明なアクリル樹脂の表フィルム５３と金属を蒸着した裏フィルム５６とを張り合わせることが記載されている。このことから，普通入賞口４０，４２と操作ダイヤル９の握り部分９ａとが，
金属光沢を有する蒸着層５５と，該蒸着層５５を見せるために透明な表フィルム５３とが張り合わされた層構造を有する
　したがって，上記（ア）から（ウ）の記載事項及び上記（エ）から（カ）の認定事項を総合すると，刊行物３には次の発明（以下，「引用発明３」という。）が記載されている。
「遊技球が通過する遊技領域２１を備え，
　前記遊技領域２１の内の遊技球と接触し得る普通入賞口４０，４２が，金属光沢を有する蒸着層５５と，該蒸着層５５を見せるために透明な表フィルム５３とが張り合わされた層構造を有する弾球遊技機。」
（１−２）刊行物２
　原査定の拒絶の理由に引用された刊行物２の記載事項は，上記第２の３．（１）（１−２）に記載したとおりである。
２．対比
　本願発明と引用発明３とを対比する。
（ａ）引用発明３の「遊技球が通過する遊技領域２１」は，本願発明の「遊技球が流下する遊技領域」に相当する。
（ｂ）引用発明３の「前記遊技領域２１の内の遊技球と接触し得る普通入賞口４０，４２」は，本願発明の「前記遊技領域の内」「において遊技球と接触し得る部位の少なくとも一部」に含まれる。
（ｃ）引用発明３の「金属光沢を有する蒸着層５５」及び「透明な表フィルム５３」は，本願発明の「光沢層」及び「視認可能に覆う透過層」に，それぞれ相当する。
　また，引用発明３の「該蒸着層５５を見せるため」は，本願発明の「該光沢層を外部から視認可能」に相当する。
　以上のことから，引用発明３の「金属光沢を有する蒸着層５５と，該蒸着層５５を見せるために透明な表フィルム５３とが張り合わされた層構造を有する」は，本願発明の「金属と同等または実質的に同等の光沢を呈し得る光沢層と，該光沢層を外部から視認可能に覆う透過層とが積層された構造を有し」に相当する。
　上記（ａ）から（ｃ）により，本願発明と引用発明３とは，
［一致点］
「遊技球が流下する遊技領域を備え，
　前記遊技領域の内において遊技球と接触し得る部位の少なくとも一部が，金属と同等または実質的に同等の光沢を呈し得る光沢層と，該光沢層を外部から視認可能に覆う透過層とが積層された構造を有していることを特徴とする遊技機。」
　である点で一致し，以下の点で相違する。
［相違点１］
　「遊技球と接触し得る部位の少なくとも一部」について，本願発明では，「前記遊技領域の内外」であるのに対して，引用発明３では，「前記遊技領域２１の内」である点。
［相違点２］
　「金属と同等または実質的に同等の光沢を呈し得る光沢層」について，本願発明では，「屈折率の異なる複数種類の樹脂を積層して得られた層となって」いるのに対して，引用発明３では，「金属光沢を有する蒸着層５５」である点。
３．判断
　上記相違点について検討する。
ア　相違点１について
　上記第２の３．（３）アに記載したとおり，刊行物２には，偏光フィルム２の面上にクリアコート層７を施す装飾を，パチンコ台の装飾が必要な部分に適用できることが記載され，必要な部分は遊技領域の外も含むことは技術常識である。
　そして，引用発明３も刊行物２に記載されたものも共に，遊技機の一部に光沢層と透過層とが積層された構造を適用するものであるから，引用発明３において，刊行物２に記載された技術事項に基づき，光沢層と透過層とが積層された構造を，遊技領域の内だけでなく遊技領域の外にも適用すること，すなわち上記相違点１に係る本願発明の構成にすることは，当業者が容易に想到し得たことである。
イ　相違点２について
　上記第２の３．（３）イに記載したとおり，刊行物２には，パチンコ台の装飾が必要な部分の熱可塑性樹脂１に，屈折率の異なる異種材料フィルムを積層した金属光沢が得られる偏光フィルム２を被着させ，偏光フィルム２の全面に一定の透過率を有するクリアコート層７を施すことが記載されているといえる。
　そして，引用発明３も刊行物２に記載されたものも共に，遊技機の一部に光沢層と光沢層を外部から視認可能に覆う透過層とが積層された構造を有するものであるから，引用発明３において，刊行物２に記載された事項に基づき，光沢層を屈折率の異なる複数種類の樹脂を積層して得られた層にすること，すなわち上記相違点２に係る本願発明の構成にすることは，当業者が容易に想到し得たことである。
ウ　本願発明の奏する作用効果について
　そして，本願発明の作用効果は，引例発明３及び刊行物２に記載された事項からみて，当業者の予測し得ない格別なものではない。
４．むすび
　以上のとおり，本願発明は，特許法第２９条第２項の規定に基づいて特許を受けることができないものである。
　したがって，その余の請求項について検討するまでもなく，本願は拒絶すべきである。
　よって，結論のとおり審決する。